(57)【特許請求の範囲】
【請求項１】
空気浄化装置において、
所定の長さ延在する断面が上方に凸状の土壌体と、
前記土壌体の内部で該土壌体の長手方向に沿って延在する空気流路と、
汚染空気を前記空気流路に圧送し、または、前記空気流路内の空気を吸引する空気流動手段とを備え、
前記土壌体は、空気の流通を可能とし空気流路の内壁を構成する内壁部材と、空気の流通を可能とし土壌体の表面を構成する外壁部材と、前記内壁部材と外壁部材の間に充填され微生物が繁殖可能で空気の流通を可能とした土壌層とで構成されており、
該空気浄化装置は車道の中央に沿って延在し中央分離体を構成している、
ことを特徴とする空気浄化装置。
【請求項２】
前記土壌体の表面の両側部は上方に至るにつれて互いに近付く傾斜面で形成されている請求項１記載の空気浄化装置。
【請求項３】
前記土壌体の表面が連続するように空気浄化装置が複数設置されている請求項１記載の空気浄化装置。
【請求項４】
前記空気流動手段は土壌体の長手方向の一端に設けられ、空気流動手段により吸い込まれた外気は空気流路内で土壌体の長手方向の他端に向けて供給される請求項１記載の空気浄化装置。
【請求項５】
前記空気流動手段は土壌体の長手方向の中央に設けられ、空気流動手段により吸い込まれた外気は空気流路内で土壌体の長手方向の両端に向けて供給される請求項１記載の空気浄化装置。
【発明の詳細な説明】
【０００１】
【発明の属する技術分野】
本発明は土壌を用いた空気浄化装置に関し、更に詳細には、限られた狭いスペースにおいて空気の浄化を効率良く行なえるようにした空気浄化装置に関する。
【０００２】
【従来の技術】
車から排出される排気ガスは、一酸化炭素、窒素酸化物、粉塵等の汚染物質を多量に含んでおり、大気を汚染している。
そして、車は道路上を走るので、周辺に汚染空気を拡散させないためにも、道路上において汚染空気を浄化してしまうことが望ましい。
一方、本出願人は地球環境保護の観点から土壌を用いた種々の空気浄化装置を提案している。
このような土壌を用いた空気浄化装置により道路上において汚染空気を浄化しようとする場合、空気浄化装置の設置場所が問題となり、中央分離体を有する道路では、この中央分離体以外に設置場所の確保が困難となる。
【０００３】
【発明が解決しようとする課題】
しかしながら、中央分離帯はその幅が例えば２ｍ等に予め決められており、土壌を用いて空気を浄化するには、空気の浄化に必要な土壌の容積を確保することができない。
本発明は前記事情に鑑み案出されたものであって、本発明の目的は、限られた狭いスペースにおいて空気の浄化を効率良く行なえ、特に、中央分離帯に設置されて好適は空気浄化装置を提供することにある。
【０００４】
【課題を解決するための手段】
前記目的を達成するため、本発明に係る空気浄化装置は、所定の長さ延在する断面が上方に凸状の土壌体と、前記土壌体の内部で該土壌体の長手方向に沿って延在する空気流路と、汚染空気を前記空気流路に圧送し、または、前記空気流路内の空気を吸引する空気流動手段とを備え、前記土壌体は、空気の流通を可能とし空気流路の内壁を構成する内壁部材と、空気の流通を可能とし土壌体の表面を構成する外壁部材と、前記内壁部材と外壁部材の間に充填され微生物が繁殖可能で空気の流通を可能とした土壌層とで構成されており、該空気浄化装置は車道の中央に沿って延在し中央分離体を構成していることを特徴とする。
【０００５】
また、本発明は、前記土壌体の表面の両側部が上方に至るにつれて互いに近付く傾斜面で形成されていることを特徴とする。
また、本発明は、前記土壌体の表面が連続するように空気浄化装置が複数設置されていることを特徴とする。
また、本発明は、前記空気流動手段が土壌体の長手方向の一端に設けられ、空気流動手段により吸い込まれた外気は空気流路内で土壌体の長手方向の他端に向けて供給されることを特徴とする。
また、本発明は、前記空気流動手段が土壌体の長手方向の中央に設けられ、空気流動手段により吸い込まれた外気は空気流路内で土壌体の長手方向の両端に向けて供給されることを特徴とする。
【０００６】
本発明では、空気流路を有する土壌体により狭い面積内において土壌の容積を大きく確保でき、土壌による空気浄化能力を高める上で有利となる。
また、土壌体は高さを有するので、土壌体近傍に汚染空気を停滞させることができ、空気浄化を図る上で、また、汚染空気の拡散を防止する上でも有利となる。
【０００７】
【発明の実施の形態】
以下、本発明の実施例を添付図面に従って説明する。
図１は本発明に係る空気浄化装置を道路の中央分離帯に適用した場合の平面図、図２（Ａ）は同側面図、図２（Ｂ）は要部の側面図を示す。
２は道路、４は中央分離帯で、中央分離帯４上には多数の空気浄化装置６が直線状に並べられて設置されている。
各空気浄化装置６は、土壌体８と、土壌体８の内部に設けられた空気流路１０と、空気流路１０に汚染空気を導入する空気流動手段１２等で構成されている。
【０００８】
前記土壌体８は、図３に示すように、断面が上方に凸状の台形で所定の長さ延在して形成され、前記空気流路１０はこの土壌体８の内部で土壌体８の長手方向に延在して形成され、空気流路１０の断面も前記台形に対応した台形に形成されている。
前記土壌体８の両側部は、上方に至るにつれて互いに近付く傾斜面８０２で形成され、上部は平坦な上面８０４で形成され、複数の空気浄化装置６は、これら傾斜面８０２や上面８０４が同一面となるように直線状に設置されている。
【０００９】
前記土壌体８は、空気の流通を可能とし空気流路１０の内壁を構成する内壁部材１４と、空気の流通を可能とし土壌体８の表面、すなわち両側の傾斜面８０２と上面８０４を構成する外壁部材１６と、前記内壁部材１４と外壁部材１６の間に充填され微生物が繁殖可能で空気の流通を可能とした土壌層１８とで構成されている。
前記内壁部材１４は汚染空気を土壌層１８に供給できる機能と、土壌層１８の形態を保持する機能とを備えた部材であればよく、このような内壁部材１４として、例えば、金属や合成樹脂からなり多数の小孔が穿設された板状の部材を用いることができる。
前記土壌層１８は、微生物が繁殖できるような土、例えば、黒土等をベースとしてパーライト等を混合し、空気が流動できるように空隙率を高めて構成され、土壌層１８に植物を植える等は任意である。
前記外壁部材１６は土壌層１８により浄化された空気を土壌層１８の表面から大気に戻すことができる機能と、土壌層１８の形態を保持する機能とを備えた部材であればよく、このような外壁部材１６として、例えば、金属や合成樹脂からなり多数の小孔が穿設された板状の部材、あるいは、図４に示すように、金属や合成樹脂からなる網状の部材を用いることができる。
【００１０】
前記空気流動手段１２は土壌体８の長手方向の一端に設けられている。
前記空気流動手段１２は、前記土壌体８の傾斜面８０２および上面８０４に合致した形状を有する中空状のコンクリートブロック２０と、このコンクリートブロック２の内部に設置されたブロア２２とで構成され、コンクリートブロック２０に形成された開口２００２は、空気の流通を可能とした蓋板２４で覆われている。
前記ブロア２２は、その吸込口２２０２が前記開口２００２に連結され、かつ、吹出口２２０４を空気流路１０内で土壌体８の長手方向の他端に向けて配置されている。尚、ブロア２２の動力源としては、商用電源を用いてもよく、あるいは、適宜箇所に設置した太陽電池パネルで生じる電力を用いるようにしてもよく、任意である。
【００１１】
尚、空気流路１０の長手方向で空気流動手段１２が設けられる側の端部はコンクリートブロック２０により閉塞されており、また、空気流動手段１２が設けられない側の端部は、前記内壁部材１４や外壁部材１６と同様な部材、あるいは仕切り板等により閉塞されている。この場合、実施例のように多数の空気浄化装置６が直線状に並べられる場合には、コンクリートブロック２０の端面により隣合う空気浄化装置６の空気流路１０が仕切られるので、空気流動手段１２が設けられない側の端部を閉塞する内壁部材１４や外壁部材１６などを省略することは可能である。
尚、土壌体８の下面には、前記内壁部材１４や外壁部材１６と同様な部材が設けられているが、これらの部材は土壌体８の下面が地盤上に載置されることから省略することが可能である。
【００１２】
また、開口２０は、実施例のように隣接する複数の空気浄化装置６毎に反対側の傾斜面８０２に形成してもよく、あるいは、一つの空気浄化装置６毎に反対側の傾斜面８０２に形成してもよく、直線上に並べられた多数の空気浄化装置６の土壌体８の両側面から汚染空気を空気流路１０内に導入できるように構成されている。
また、土壌体８の長さを大きく確保したい場合には、土壌体８をその長手方向に複数に分割しておき、この分割された分割体を並べることで長さの大きい土壌体８を形成でき、このように土壌体８をその長手方向に分割して構成すると、所望の長さとした空気浄化装置６が簡単に得られる。
【００１３】
つぎに、作用について説明する。
道路２上を通る車の排気ガスで汚染された汚染空気は、ブロア２２により吸い込まれて空気流路１０内に圧送される。
空気流路１０内に圧送された汚染空気は内壁部材１４を通って土壌層１８に至り、土壌層１８を通って土壌層１８の表面から外壁部材１６を経て大気に戻される。
そして、汚染空気が土壌層１８を通過する際、土壌のフィルターとしての物理的な作用により粉塵の捕捉や、メタン等の炭化水素ガス等の不純成分の吸着が行なわれる。
また、微生物により不純成分等、汚染物質の分解が行なわれる。
土壌の表面や、或は土壌の内部で空気が流動する部分には、好気性微生物が繁殖し、土壌の内部で空気が流動しない部分には、嫌気性微生物が繁殖し、これら微生物の菌体内で消費されたり、呼吸で使われる等することで、例えば、一酸化炭素は主に二酸化炭素に変化され、メタンガスは主に二酸化炭素と水に分解される。
そして、このように汚染物質が除去された清浄な空気が、土壌体８の表面から外壁部材１６を経て大気に戻される。
【００１４】
本実施例によれば、上方に凸状の土壌体８を設け、その内部に空気流路１０を延在させる構成としたので、中央分離帯４上の狭い面積内において土壌体８の容積を大きく確保でき、従って、土壌体８による空気浄化能力を高め、道路２上の汚染空気を道路２上において浄化することが可能となる。
また、土壌体８は上方に凸状であるので、道路２上の汚染空気を土壌体８の側部に停滞させる上で有利となり、従って、汚染空気の分散を阻止し、分散される前の濃い濃度の汚染空気を空気流路１０内に吸い込むことができ、汚染空気の拡散や、空気浄化効率を高める上で極めて有利となる。
また、土壌体８は、予め工場で形成でき、従って、現場に搬入し現場に載置することで空気浄化装置６が完成され、従って、専門職人を要せずに誰もが空気浄化装置６を設置でき、コストダウンを図る上でも有利となる。
【００１５】
尚、実施例では、土壌体８の長手方向の一端に空気流動手段１２を配置し、空気流動手段１２により吸い込んだ汚染空気を空気流路１０内で土壌の長手方向の他端に向けて圧送するように構成したが、土壌の長手方向の中央に空気流動手段１２を配置し、空気流動手段１２により吸い込んだ汚染空気を空気流路１０内で土壌の長手方向の両端に向けて圧送するようにしてもよい。
また、実施例では空気流動手段１２を、中空状のコンクリートブロック２０を用いた場合について説明したが、中空状のコンクリートブロック２０を用いず、土壌体８の傾斜面８０２に開口を形成し、この開口にブロア２２の吸込口２２０２を連結するようにしてもよい。
また、実施例では空気浄化装置６を中央分離帯４に設置した場合について説明したが、空気浄化装置６の設置箇所は、例えば、路肩や、公園、遊歩道等、中央分離帯４以外の箇所であってもよい。
また、実施例では、空気流動手段１２により汚染空気を空気流路１０に圧送し、空気流路１０から土壌体８を通過させる場合について説明したが、空気流動手段１２により空気流路１０内の空気を吸い込み、土壌体８の表面から汚染空気を吸い込んで浄化することも無論可能である。
【００１６】
【発明の効果】
以上の説明で明らかなように、本発明に係る空気浄化装置は、所定の長さ延在する断面が上方に凸状の土壌体と、前記土壌体の内部で該土壌体の長手方向に沿って延在する空気流路と、汚染空気を前記空気流路に圧送し、または、前記空気流路内の空気を吸引する空気流動手段とを備え、前記土壌体は、空気の流通を可能とし空気流路の内壁を構成する内壁部材と、空気の流通を可能とし土壌体の表面を構成する外壁部材と、前記内壁部材と外壁部材の間に充填され微生物が繁殖可能で空気の流通を可能とした土壌層とで構成されており、該空気浄化装置は車道の中央に沿って延在し中央分離体を構成している。
そのため、空気流路を有する土壌体により狭い面積内において土壌の容積を大きく確保でき、また、土壌体近傍に汚染空気を停滞させることができ、従って、限られた狭いスペースにおいて空気の浄化を効率良く行なえ、特に、中央分離帯に設置されて好適である。
【図面の簡単な説明】
【図１】空気浄化装置を道路の中央分離帯に適用した場合の平面図である。
【図２】（Ａ）は空気浄化装置を道路の中央分離帯に適用した場合の側面図、（Ｂ）は空気浄化装置を道路の中央分離帯に適用した場合の要部の側面図である。
【図３】土壌体の斜視図である。
【図４】土壌体の斜視図である。
【符号の説明】
２  道路
４  中央分離帯
６  空気浄化装置
８  土壌体
１０  空気流路
１２  空気流動手段
１４  内壁部材
１６  外壁部材
１８  土壌層
２０  コンクリートブロック
２２  ブロア
８０２  傾斜面
８０４  上面
【図１】
0003640223.tif 000002
【図２】
0003640223.tif 000003
【図３】
0003640223.tif 000004
【図４】
0003640223.tif 000005